(57)【特許請求の範囲】
【請求項１】
媒体を外部から取り込み、又は当該媒体を外部へ排出する媒体入出部と、
上記媒体を第１入出口と第２入出口との間でいずれか一方から他方へ搬送する際に、当該媒体が正当な正当媒体又は不当な不当媒体のいずれであるかを鑑別する鑑別部と、
上記正当媒体を収納する収納庫と、
上記媒体を一時的に保留する一時保留部と、
上記媒体入出部と上記鑑別部の第１入出口との間で上記媒体を搬送する入出経路と、上記鑑別部の第２入出口と上記収納庫との間で上記媒体を搬送する直接収納経路と、上記鑑別部の第２入出口と上記媒体入出部との間で上記媒体を搬送する排出経路と、上記鑑別部の第２入出口と上記一時保留部との間で上記媒体を搬送する一時保留経路と、上記鑑別部の第１入出口と上記収納庫との間で上記媒体を搬送する保留収納経路と、上記媒体の経路を切り替える切替器とを具える搬送部と、
上記媒体入出部から上記入出経路を経て上記鑑別部へ搬送された上記媒体を、上記鑑別部により上記媒体が上記正当媒体であると鑑別されたときには上記直接収納経路により上記収納庫又は上記一時保留経路により上記一時保留部へ、上記鑑別部により上記媒体が上記不当媒体であると鑑別されたときには上記排出経路により上記媒体入出部へ、それぞれ搬送し、さらに上記一時保留部から排出される上記媒体を、上記一時保留経路、上記鑑別部内における上記第２入出口から上記第１入出口まで及び上記保留収納経路により上記収納庫へ搬送するよう、上記搬送部を制御する制御部と
を具えることを特徴とする媒体搬送装置。
【請求項２】
上記一時保留部における障害の発生を検出し上記制御部へ通知する障害検出部
をさらに具え、
上記制御部は、
上記障害検出部から上記一時保留部における上記障害の発生が通知された場合、上記鑑別部により上記媒体が上記正当媒体であると鑑別された上記媒体を、上記直接収納経路により上記収納庫へ搬送するよう、上記搬送部を制御する
ことを特徴とする請求項１に記載の媒体搬送装置。
【請求項３】
上記媒体のうち回収すべき回収媒体を収納する回収庫
をさらに具え、
上記鑑別部は、
上記一時保留部から排出された上記媒体が上記一時保留経路を経て上記第２入出口へ供給されると、上記回収媒体であるか否かを鑑別して上記第１入出口から排出し、
上記搬送部は、
上記鑑別部の第１入出口と上記回収庫との間で上記媒体を搬送する保留回収経路
をさらに具え、
上記制御部は、
上記一時保留部から排出され上記一時保留経路を経て上記鑑別部の第２入出口へ搬送された上記媒体を、当該鑑別部において上記回収媒体でないと鑑別された場合には上記保留収納経路により上記収納庫へ、上記回収媒体であると鑑別された場合には上記保留回収経路により上記回収庫へ、それぞれ搬送するよう上記搬送部を制御する
ことを特徴とする請求項１に記載の媒体搬送装置。
【請求項４】
媒体を外部から取り込み、又は当該媒体を外部へ排出する媒体入出部と、
上記媒体を第１入出口と第２入出口との間で搬送する際に、当該媒体が正当な正当媒体又は不当な不当媒体のいずれであるかを鑑別する鑑別部と、
上記正当媒体を収納する収納庫と、
上記媒体のうち回収すべき回収媒体を収納する回収庫と、
上記媒体が上記回収媒体であるか否かを検出する回収媒体検出部と、
上記媒体入出部と上記鑑別部の第１入出口との間で上記媒体を搬送する入出経路と、上記鑑別部の第２入出口と上記収納庫との間で上記媒体を搬送する直接収納経路と、上記鑑別部の第２入出口と上記媒体入出部との間で上記媒体を搬送する排出経路と、上記収納庫と上記回収媒体検出部との間で上記媒体を搬送する検出経路と、上記回収媒体検出部と上記媒体入出部との間で上記媒体を搬送する検出排出経路と、上記回収媒体検出部と上記回収庫との間で上記媒体を搬送する検出回収経路と、上記媒体の経路を切り替える切替器とを具える搬送部と、
上記媒体入出部から上記入出経路を経て上記鑑別部へ搬送された上記媒体を、上記鑑別部により上記媒体が上記正当媒体であると鑑別されたときには上記直接収納経路により上記収納庫へ、上記鑑別部により上記媒体が上記不当媒体であると鑑別されたときには上記排出経路により上記媒体入出部へ、それぞれ搬送し、上記収納庫から上記検出経路を経て上記回収媒体検出部へ搬送された上記媒体を、上記回収媒体検出部により上記媒体が上記回収媒体であることが検出されなかったときには上記検出排出経路により上記媒体入出部へ、上記回収媒体であることが検出されたときには上記検出回収経路により上記回収庫へ、それぞれ搬送するよう上記搬送部を制御する制御部と
を具えることを特徴とする媒体搬送装置。
【請求項５】
媒体を利用する利用者の操作を受け付ける操作受付部と、
上記利用者により投入される上記媒体を取り込み、又は上記利用者に提供すべき上記媒体を排出する媒体入出部と、
上記媒体を第１入出口と第２入出口との間で搬送する際に、当該媒体が正当な正当媒体又は不当な不当媒体のいずれであるかを鑑別する鑑別部と、
上記正当媒体を収納する収納庫と、
上記媒体入出部と上記鑑別部の第１入出口との間で上記媒体を搬送する入出経路と、上記鑑別部の第２入出口と上記収納庫との間で上記媒体を搬送する直接収納経路と、上記鑑別部の第２入出口と上記媒体入出部との間で上記媒体を搬送する排出経路と、上記媒体の経路を切り替える切替器とを具える搬送部と、
上記利用者により上記操作受付部に対し上記媒体の取引処理を行う操作がなされ、上記媒体入出部に投入され上記入出経路を経て上記鑑別部へ搬送された上記媒体を、上記鑑別部により上記媒体が上記正当媒体であると鑑別されたときには上記直接収納経路により上記収納庫へ、上記鑑別部により上記媒体が上記不当媒体であると鑑別されたときには上記排出経路により上記媒体入出部へ、それぞれ搬送するよう上記搬送部を制御する制御部と
を具え、
上記操作受付部は、上記媒体を上記収納庫へ搬送した後に、上記利用者による上記媒体の取引処理を中止する操作を受け付け、
上記制御部は、上記利用者により上記操作受付部に対し上記媒体の取引処理を中止する操作がなされた場合、当該取引処理において上記収納庫に収納された上記媒体を当該収納庫から排出させ、上記直接収納経路、上記鑑別部内における上記第２入出口から上記第１入出口まで及び上記入出経路により上記媒体入出部へ搬送するよう、上記搬送部を制御する
ことを特徴とする媒体取引装置。
【請求項６】
上記媒体のうち回収すべき回収媒体を収納する回収庫と、
上記媒体が上記回収媒体であるか否かを検出する回収媒体検出部と
をさらに具え、
上記搬送部は、
上記収納庫と上記回収媒体検出部との間で上記媒体を搬送する検出経路と、上記回収媒体検出部と上記媒体入出部との間で上記媒体を搬送する検出排出経路と、上記回収媒体検出部と上記回収庫との間で上記媒体を搬送する検出回収経路とをさらに具え、
上記制御部は、
上記利用者により上記操作受付部に対し上記媒体の取引処理を中止する操作がなされた場合、当該取引処理において上記収納庫に収納された上記媒体を当該収納庫から上記検出経路により上記回収媒体検出部へ搬送し、当該回収媒体検出部により上記媒体が上記回収媒体であることが検出されなかったときには上記検出排出経路により上記媒体入出部へ、上記回収媒体であることが検出されたときには上記検出回収経路により上記回収庫へ、それぞれ搬送するよう上記搬送部を制御する
ことを特徴とする請求項５に記載の媒体取引装置。
【請求項７】
上記制御部は、
上記利用者により上記操作受付部に対し上記媒体の取引処理を中止する操作がなされ、当該取引処理において上記収納庫に収納された上記媒体が上記回収媒体検出部により上記回収媒体であることが検出され上記回収庫へ搬送された場合、当該回収媒体に相当する他の媒体を上記収納庫から排出させ、上記回収媒体検出部へ搬送するよう上記収納庫及び上記搬送部を制御する
ことを特徴とする請求項６に記載の媒体取引装置。
【発明の詳細な説明】
【技術分野】
【０００１】
本発明は媒体搬送装置及び媒体取引装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う入出金口と、投入された紙幣の金種及び真偽を鑑別する鑑別部と、投入された紙幣を一時的に保留する一時保留部と、金種ごとに紙幣を収納する収納庫と、各部の間で紙幣を搬送する搬送部とを有するものが提案されている（例えば、特許文献１参照）。
【０００４】
この現金自動預払機は、入金取引において、顧客が入出金口に紙幣を投入すると、投入された紙幣を鑑別部で鑑別し、正常紙幣と鑑別された紙幣を一時保留部で保留する一方、取引すべきでないと鑑別された紙幣を入出金口へ戻して顧客に返却する。続いて現金自動預払機は、顧客により入金金額が確定されると、一時保留部に保留した紙幣の金種を鑑別部により再鑑別し、鑑別された金種に応じて収納庫へ収納する。
【先行技術文献】
【特許文献】
【０００５】
【特許文献１】特開２０１１−２９２１公報（第１図）
【発明の概要】
【発明が解決しようとする課題】
【０００６】
ところで上述した現金自動預払機では、入金取引において、顧客から投入された紙幣について、まず鑑別部を介して一時保留部へ搬送し、次に当該一時保留部から再度鑑別部を介して収納庫へ収納するよう、搬送路が構成されている。
【０００７】
一方、紙幣は、一般に市中において乱雑に扱われる場合があるため、折り目や皺等を有していることがある。このため一時保留部では、その内部で紙幣が周囲の部品等に引っかかり、或いは挟まる等して詰まってしまい、紙幣を正常に保留できなくなる可能性、すなわち障害が発生する可能性がある。
【０００８】
このとき現金自動預払機では、他の部分が正常に動作していたとしても、入金された紙幣を一時保留部よりも後段の収納庫等へ搬送できなくなるため、入金取引を行うことができず、正常な運用を継続できなくなってしまう、という問題があった。
【０００９】
本発明は以上の点を考慮してなされたもので、運用の継続性を高め得る媒体搬送装置及び媒体取引装置を提案しようとするものである。
【課題を解決するための手段】
【００１０】
かかる課題を解決するため本発明の媒体搬送装置においては、媒体を外部から取り込み、又は当該媒体を外部へ排出する媒体入出部と、媒体を第１入出口と第２入出口との間でいずれか一方から他方へ搬送する際に、当該媒体が正当な正当媒体又は不当な不当媒体のいずれであるかを鑑別する鑑別部と、正当媒体を収納する収納庫と、媒体を一時的に保留する一時保留部と、媒体入出部と鑑別部の第１入出口との間で媒体を搬送する入出経路と、鑑別部の第２入出口と収納庫との間で媒体を搬送する直接収納経路と、鑑別部の第２入出口と媒体入出部との間で媒体を搬送する排出経路と、鑑別部の第２入出口と一時保留部との間で媒体を搬送する一時保留経路と、鑑別部の第１入出口と収納庫との間で媒体を搬送する保留収納経路と、媒体の経路を切り替える切替器とを具える搬送部と、媒体入出部から入出経路を経て鑑別部へ搬送された媒体を、鑑別部により媒体が正当媒体であると鑑別されたときには直接収納経路により収納庫又は一時保留経路により一時保留部へ、鑑別部により媒体が不当媒体であると鑑別されたときには排出経路により媒体入出部へ、それぞれ搬送し、さらに一時保留部から排出される媒体を、一時保留経路、鑑別部内における第２入出口から第１入出口まで及び保留収納経路により収納庫へ搬送するよう、搬送部を制御する制御部とを設けるようにした。
【００１１】
これにより、一時保留部を使用する場合及び使用しない場合の何れにおいても、外部から取り込んだ媒体を鑑別部において鑑別した上で、正当媒体であれば収納庫に直接収納できる一方、不当媒体であれば媒体入出部へ戻して正当媒体との混在を防止することができる。
【００１２】
また本発明の媒体取引装置においては、媒体を利用する利用者の操作を受け付ける操作受付部と、利用者により投入される媒体を取り込み、又は利用者に提供すべき媒体を排出する媒体入出部と、媒体を第１入出口と第２入出口との間で搬送する際に、当該媒体が正当な正当媒体又は不当な不当媒体のいずれであるかを鑑別する鑑別部と、正当媒体を収納する収納庫と、媒体入出部と鑑別部の第１入出口との間で媒体を搬送する入出経路と、鑑別部の第２入出口と収納庫との間で媒体を搬送する直接収納経路と、鑑別部の第２入出口と媒体入出部との間で媒体を搬送する排出経路と、媒体の経路を切り替える切替器とを具える搬送部と、利用者により操作受付部に対し媒体の取引処理を行う操作がなされ、媒体入出部に投入され入出経路を経て鑑別部へ搬送された媒体を、鑑別部により媒体が正当媒体であると鑑別されたときには直接収納経路により収納庫へ、鑑別部により媒体が不当媒体であると鑑別されたときには排出経路により媒体入出部へ、それぞれ搬送するよう搬送部を制御する制御部とを設け、操作受付部は、媒体を収納庫へ搬送した後に、利用者による媒体の取引処理を中止する操作を受け付け、制御部は、利用者により操作受付部に対し媒体の取引処理を中止する操作がなされた場合、当該取引処理において収納庫に収納された媒体を当該収納庫から排出させ、直接収納経路、鑑別部内における第２入出口から第１入出口まで及び入出経路により媒体入出部へ搬送するよう、搬送部を制御するようにした。
【００１３】
これにより、一時保留部を使用しなくとも、外部から取り込んだ媒体を鑑別部において鑑別した上で、正当媒体であれば収納庫に直接収納できる一方、不当媒体であれば媒体入出部へ戻して正当媒体との混在を防止することができ、さらに取引処理の中止が指示された場合には、収納庫に一度収納された媒体を媒体入出部へ搬送して利用者に返却できる。
【発明の効果】
【００１４】
本発明によれば、運用の継続性を高め得る媒体搬送装置及び媒体取引装置を実現できる。
【図面の簡単な説明】
【００１５】
【図１】現金自動預払機の構成を示す略線的斜視図である。
【図２】紙幣入出金機の構成を示す略線的側面図である。
【図３】模式化した紙幣入出金機の構成を示す略線的ブロック図である。
【図４】通常の入金取引における紙幣の経路（１）を示す略線的ブロック図である。
【図５】通常の入金取引における紙幣の経路（２）を示す略線的ブロック図である。
【図６】一時保留部を使用しない場合における入金取引時の紙幣の経路を示す略線的ブロック図である。
【図７】一時保留部を使用しない場合における入金取引中止時の紙幣の経路を示す略線的ブロック図である。
【図８】出金取引における紙幣の経路を示す略線的ブロック図である。
【図９】取忘紙幣取込時における紙幣の経路を示す略線的ブロック図である。
【図１０】一時保留部を使用しない場合における取忘紙幣取込時の紙幣の経路を示す略線的ブロック図である。
【図１１】他の実施の形態による紙幣入出金機の構成（１）を示す略線的側面図である。
【図１２】他の実施の形態による紙幣入出金機の構成（２）を示す略線的側面図である。
【発明を実施するための形態】
【００１６】
以下、発明を実施するための形態（以下実施の形態とする）について、図面を用いて説明する。
【００１７】
［１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００１８】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１９】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２０】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２１】
入出金口５は、顧客が入金する紙幣ＢＬが投入されると共に、顧客へ出金する紙幣ＢＬが排出される部分である。また入出金口５は、シャッタを駆動することにより開放又は閉塞するようになされている。因みに紙幣ＢＬは、例えば長方形の紙で構成されている。
【００２２】
操作表示部６は、取引に際して操作画面を表示するＬＣＤ（Liquid Crystal Display）と、取引の種類の選択、暗証番号や取引金額等を入力するタッチパネルとが一体化されている。
【００２３】
テンキー７は、「０」〜「９」の数字等の入力を受け付ける物理キーであり、暗証番号や取引金額等の入力操作時に用いられるようになされている。
【００２４】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２５】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２６】
筐体２内には、現金自動預払機１全体を統括制御する主制御部９や、紙幣ＢＬに関する種々の処理を行う紙幣入出金機１０等が設けられている。
【００２７】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００２８】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００２９】
［２．紙幣入出金機の構成］
紙幣入出金機１０は、図２に側面図を示すように、紙幣に関する種々の処理を行う複数の部分が組み合わされた構成となっている。また紙幣入出金機１０の各部分は、制御部１９により制御されるようになされている。
【００３０】
制御部１９は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３１】
また制御部１９は、内部にＲＡＭ及びフラッシュメモリ等でなる記憶部１９Ａ（図1）を有しており、この記憶部１９Ａに種々の情報を記憶させるようになされている。
【００３２】
ところで図３に模式化したブロック図として示すように、紙幣入出金機１０内では、複数の短い搬送路である短路Ｐが互いに接続されており、当該短路Ｐに沿って、紙幣の短辺を走行方向として搬送するようになされている。
【００３３】
入出金部１１（図２）は、紙幣入出金機１０の上部前方に設けられており、入出金口５（図１）の真下に位置している。入出金部１１の内部には、入出金口５と連接するように、顧客との間で授受すべき紙幣を収容する収容器１１Ａが設けられている。
【００３４】
入出金部１１は、入出金口５を介して収容器１１Ａに紙幣が投入されると、当該収容器１１Ａから紙幣を１枚ずつ取り出し、短路Ｐ１を介して搬送部１２へ受け渡す。また入出金部１１は、振分搬送部１７から短路Ｐ１３を介して搬送されてくる紙幣を収容器１１Ａ内に蓄積するようになされている。
【００３５】
入出金部１１（図２）の真下には、搬送部１２が設けられている。搬送部１２は、複数のローラ、プーリ、ベルト及びモータ（図示せず）等の組み合わせにより、複数の短路Ｐ（図３）を形成しており、また３本の短路Ｐが接続される箇所には紙幣の搬送先を切り替える切替器Ｓを有している。
【００３６】
短路Ｐ１は、搬送部１２内において切替器Ｓ１を介して短路Ｐ２と接続されている。この短路Ｐ２は、鑑別部１３の上側に設けられた上入出口１３Ａと接続されている。
【００３７】
搬送部１２の切替器Ｓ１は、短路Ｐ１１とも接続されており、制御部１９の制御に基づき、短路Ｐ２の接続先を短路Ｐ１又は当該短路Ｐ１１のいずれかに切り替えるようになされている。
【００３８】
搬送部１２は、入出金部１１から短路Ｐ１により紙幣が搬送されてくると、切替器Ｓ１を当該短路Ｐ１側に切り替え、短路Ｐ２により当該紙幣を鑑別部１３へ搬送する。
【００３９】
鑑別部１３は、搬送部１２内に設けられており、上側に設けられた第１入出口としての上入出口１３Ａ及び下側に設けられた第２入出口としての下入出口１３Ｂのいずれか一方から紙幣を取り込み、両者の間に形成した短路Ｐ３に沿って紙幣を搬送して、他方から排出するようになされている。
【００４０】
そして鑑別部１３は、短路Ｐ３に沿って紙幣を搬送しながら、光学素子や磁気検出素子等を用いて当該紙幣の金種及び真偽等、並びに損傷の程度等を鑑別し、その鑑別結果を制御部１９へ通知するようになされている。
【００４１】
因みに制御部１９は、取得した鑑別結果に基づいて当該紙幣の搬送先を決定し、その搬送先に応じて各切替器Ｓを適宜制御するようになされている。また制御部１９は、取引ごとに鑑別部１３により鑑別した紙幣の金額を集計し、記憶部１９Ａ（図１）に記憶させるようになされている。
【００４２】
鑑別部１３の下入出口１３Ｂには、搬送部１２の短路Ｐ４が接続されている。短路Ｐ４における下入出口１３Ｂの反対側には、切替器Ｓ２を介して短路Ｐ５及び短路Ｐ６が接続されている。
【００４３】
切替器Ｓ２は、制御部１９の制御に基づき、短路Ｐ４の接続先を短路Ｐ５又は短路Ｐ６のいずれかに切り替えるようになされている。
【００４４】
短路Ｐ５における切替器Ｓ２の反対側は、一時保留部１４に接続されている。切替器Ｓ２が短路Ｐ５側に切り替えられている場合、搬送部１２は、短路Ｐ４により搬送されてきた紙幣を短路Ｐ５により一時保留部１４へ搬送する。
【００４５】
一時保留部１４は、搬送部１２の下方に設けられており（図２）、入金取引において顧客から入金された複数の紙幣が搬送部１２から順次搬送されてくると、当該紙幣を内部に設けたドラム（図示せず）の周側面に所定のテープ（図示せず）と共に巻き付けることにより一時的に保留するようになされている。
【００４６】
また一時保留部１４は、制御部１９の制御に基づき、上述したドラム及びテープを巻き戻すようにして保留している紙幣を繰り出し、短路Ｐ５（図３）により搬送部１２へ搬送するようになされている。
【００４７】
なお一時保留部１４としては、紙幣をドラム（図示せず）の周側面に巻き付ける方式に限るものではなく、例えば紙幣を順次重ねて集積する方式等、複数の紙幣を一時的に保留し得る種々の方式であっても良い。
【００４８】
さらに一時保留部１４は、障害検出器１４Ａ（図２）により、紙幣の詰まり等により障害が発生しているか否かを検出し、その検出結果を制御部１９へ通知するようになされている。
【００４９】
一方、短路Ｐ６における切替器Ｓ２の反対側には、切替器Ｓ３を介して短路Ｐ８が接続されている。また切替器Ｓ３は、短路Ｐ７も接続されており、制御部１９の制御に基づき、短路Ｐ８の接続先を短路Ｐ６又は当該短路Ｐ７のいずれかに切り替えるようになされている。
【００５０】
さらに、短路Ｐ８における切替器Ｓ３の反対側には、切替器Ｓ４を介して短路Ｐ１０が接続されている。また切替器Ｓ４は、短路Ｐ９も接続されており、制御部１９の制御に基づき、短路Ｐ１０の接続先を短路Ｐ８又は当該短路Ｐ９のいずれかに切り替えるようになされている。
【００５１】
ところで搬送部１２及び一時保留部１４の後方には、図２に示したように、下側にリジェクト庫１５が設けられ、その上側に取忘収納庫１６が設けられている。さらにリジェクト庫１５及び取忘収納庫１６の後方には、４個の収納庫１８が前後方向に並んで配置されており、当該取忘収納庫１６及び当該収納庫１８の上方には振分搬送部１７が設けられている。
【００５２】
なお収納庫１８の個数としては、４個に限るものではなく、３個以下や５個以上であっても良い。また収納庫１８内における紙幣の集積方向としては、上下方向（縦方向）や前後方向（横方向）等の種々の方向とすることができる。
【００５３】
回収庫としてのリジェクト庫１５は、短路Ｐ７（図３）により搬送部１２と接続されており、切替器Ｓ３が短路Ｐ７側に切り替えられると共に搬送部１２から紙幣が搬送されてくると、当該紙幣を内部に収納する。
【００５４】
実際上、制御部１９は、鑑別部１３において紙幣が損傷している、すなわち今後の取引処理において再利用すべきでないと判定された場合、切替器Ｓ３を短路Ｐ７側に切り替え、当該紙幣をリジェクト庫１５へ搬送して収納させるようになされている（詳しくは後述する）。
【００５５】
取忘収納庫１６は、短路Ｐ９により搬送部１２と接続されており、切替器Ｓ４が短路Ｐ９側に切り替えられると共に搬送部１２から紙幣が搬送されてくると、当該紙幣を内部に収納する。
【００５６】
実際上、制御部１９は、入出金部１１において顧客が紙幣を取り忘れた場合、切替器Ｓ４を短路Ｐ９側に切り替え、当該紙幣を取忘収納庫１６へ搬送して収納させるようになされている（詳しくは後述する）。
【００５７】
短路Ｐ１０における切替器Ｓ４の反対側には、切替器Ｓ５を介して短路Ｐ１１が接続されている。すなわち搬送部１２内には、短路Ｐ２、Ｐ３、Ｐ４、Ｐ６、Ｐ８、Ｐ１０及びＰ１１により、円環状の搬送路が形成されている。
【００５８】
また切替器Ｓ５は、短路Ｐ１２も接続されており、いわゆる三叉路分岐手段となっている。すなわち切替器Ｓ５は、制御部１９（図１）の制御に基づき、短路Ｐ１０、短路Ｐ１１及び当該短路Ｐ１２のうち一の短路Ｐから他の短路Ｐへ向けて搬送するよう、紙幣の搬送先を切り替え得るようになされている。
【００５９】
短路Ｐ１２は、搬送部１２と振分搬送部１７との間で紙幣を搬送するようになされている。短路Ｐ１２における切替器Ｓ５の反対側、すなわち振分搬送部１７側には、切替器Ｓ６が接続されている。
【００６０】
切替器Ｓ６は、短路Ｐ１２に加えて短路Ｐ１３及び短路Ｐ１４が接続されており、制御部１９の制御に基づき、短路Ｐ１２の接続先を短路Ｐ１３（すなわち入出金部１１）又は短路Ｐ１４のいずれかに切り替えるようになされている。
【００６１】
短路Ｐ１４は、短路Ｐ１５と直接接続されている。また短路Ｐ１４と短路Ｐ１５との接続部分には、紙幣の搬送状態を検出する検出部１７Ａが設けられている。
【００６２】
検出部１７Ａは、主に短路Ｐ１５から短路Ｐ１４へ向けて搬送される紙幣の搬送状態として、１枚ずつに分離されており正常であるか、或いは複数の紙幣が互いに一部を重ねて搬送されており異常であるかを検出し、その検出結果を制御部１９へ通知するようになされている。
【００６３】
制御部１９は、検出部１７Ａにおいて紙幣の搬送状態が異常であると検出された場合、当該紙幣を顧客に渡すべきでない異常な紙幣としてリジェクト庫１５へ搬送するようになされている。
【００６４】
ところで振分搬送部１７は、図２に示したように、検出部１７Ａの後方における収納庫１８の真上に位置する部分に、収納振分路１７Ｂを有している。
【００６５】
収納振分路１７Ｂは、複数のローラ、プーリ及びベルト等の組み合わせにより前後方向に長い搬送路を形成すると共に、最も後方の１個を除く３個の収納庫１８にそれぞれ対応する箇所に切替器を有している。
【００６６】
各収納庫１８は、それぞれ金種別に紙幣を収納するようになされており、振分搬送部１７の収納振分路１７Ｂから搬送されてくる紙幣を内部に収納する。
【００６７】
実際上制御部１９は、鑑別部１３における紙幣の鑑別結果を基に金種を認識し、当該金種に応じて収納振分路１７Ｂ内の各切替器を制御することにより、当該紙幣をその金種に応じた収納庫１８に収納させるようになされている。
【００６８】
また収納庫１８は、制御部１９の制御に基づき、収納している紙幣を１枚ずつ繰り出して収納振分路１７Ｂへ受け渡すようにもなされている。このとき収納振分路１７Ｂは、制御部１９の制御に基づいて各切替器を適宜切り替えることにより、当該紙幣を１枚ずつ短路Ｐ１５へ搬送するようになされている。
【００６９】
すなわち現金自動預払機１は、ある取引処理において入金され収納庫１８に収納した紙幣を他の取引処理において繰り出して出金する、いわゆるリサイクル型（環流型）となっている。
【００７０】
このように紙幣入出金機１０は、短路Ｐ１〜Ｐ１５により各部分を互いに接続すると共に、制御部１９の制御に基づき、切替器Ｓ１〜Ｓ６における紙幣の搬送先を切り替えるようになされている。
【００７１】
［３．紙幣の搬送］
ところで紙幣入出金機１０内では、現金自動預払機１により行われる取引の種類や取引中における処理の段階ごとに、紙幣の搬送経路を相違させている。
【００７２】
以下では、現金自動預払機１により入金取引及び出金取引が行われる際、並びに顧客が入出金部１１から紙幣を取り忘れた際における紙幣入出金機１０内の紙幣の経路について、それぞれ説明する。
【００７３】
［３−１．通常の入金取引］
例えば顧客が現金を預金するときのように、現金自動預払機１（図１）において通常の入金取引が行われる場合、制御部１９は、操作表示部６を介して所定の操作入力を受け付けた後、入出金口５のシャッタを開いて入出金部１１の収容器１１Ａ内に紙幣を投入させる。
【００７４】
このとき紙幣入出金機１０は、図３と対応する図４に示すように、まず制御部１９の制御により切替器Ｓ１を短路Ｐ１側に切り替え、紙幣を短路Ｐ１及びＰ２により鑑別部１３の上入出口１３Ａへ搬送する。以下では、短路Ｐ１及びＰ２により構成される経路を入出経路Ｒ１と呼ぶ。
【００７５】
続いて紙幣入出金機１０は、当該紙幣を鑑別部１３により鑑別すると共に、短路Ｐ３により紙幣を下入出口１３Ｂへ搬送する。以下では、短路Ｐ３により構成される経路を鑑別経路Ｒ２と呼ぶ。
【００７６】
また制御部１９は、このとき鑑別部１３から通知される鑑別結果を基に入金額を集計し、これを記憶部１９Ａに記憶させる。
【００７７】
鑑別部１３において紙幣が正当であると鑑別された場合、紙幣入出金機１０は、制御部１９の制御により切替器Ｓ２を短路Ｐ５側に切り替え、短路Ｐ４及びＰ５により紙幣を一時保留部１４へ搬送して保留させる。以下では、短路Ｐ４及びＰ５により構成される経路を一時保留経路Ｒ３と呼ぶ。
【００７８】
一方、鑑別部１３において紙幣が正当でないと鑑別された場合、紙幣入出金機１０は、制御部１９の制御により切替器Ｓ２を短路Ｐ６側に、切替器Ｓ３を短路Ｐ６側に、切替器Ｓ４を短路Ｐ８側にそれぞれ切り替え、切替器Ｓ５を短路Ｐ１０から短路Ｐ１２へ向かうよう切り替えて、切替器Ｓ６を短路Ｐ１３側に切り替える。
【００７９】
そして紙幣入出金機１０は、短路Ｐ４、Ｐ６、Ｐ８、Ｐ１０、Ｐ１２及びＰ１３により紙幣を入出金部１１へ搬送して顧客に返却させる。以下では、短路Ｐ４、Ｐ６、Ｐ８、Ｐ１０、Ｐ１２及びＰ１３により構成される経路を排出経路Ｒ４と呼ぶ。
【００８０】
このように紙幣入出金機１０は、入金取引における前段の処理として、入出経路Ｒ１及び鑑別経路Ｒ２により紙幣を鑑別部１３の下入出口１３Ｂまで搬送し、当該紙幣が正当であれば一時保留経路Ｒ３により一時保留部１４へ、当該紙幣が正当でなければ排出経路Ｒ４により入出金部１１へ、それぞれ搬送するようになされている。
【００８１】
その後制御部１９は、顧客により収容器１１Ａに投入された全ての紙幣を搬送し終えると、鑑別結果を基に金額を算出し、この金額を入金額として操作表示部６に表示すると共に、入金額を確定して入金取引を継続するか、或いは入金取引を中止するかを顧客に選択させる。
【００８２】
ここで顧客により入金取引の継続指示がなされた場合、紙幣入出金機１０は、図４と対応する図５に示すように、まず制御部１９の制御により切替器Ｓ２を短路Ｐ５側に切り替え、紙幣を一時保留経路Ｒ３及び鑑別経路Ｒ２により鑑別部１３の上入出口１３Ａへ搬送する。このとき鑑別部１３は、紙幣が損傷しているか否かを鑑別し、その鑑別結果を制御部１９へ通知する。
【００８３】
鑑別部１３において紙幣が損傷していないと鑑別された場合、紙幣入出金機１０は、制御部１９の制御により切替器Ｓ１を短路Ｐ１１側に切り替え、切替器Ｓ５を短路Ｐ１１から短路Ｐ１２へ向かうよう切り替えて、切替器Ｓ６を短路Ｐ１４側に切り替える。
【００８４】
そして紙幣入出金機１０は、短路Ｐ２、Ｐ１１、Ｐ１２、Ｐ１４及びＰ１５により紙幣を収納振分路１７Ｂへ搬送し、金種ごとに振り分けて収納庫１８に収納させる。以下では、短路Ｐ２、Ｐ１１、Ｐ１２、Ｐ１４及びＰ１５により構成される経路を保留収納経路Ｒ５と呼ぶ。
【００８５】
一方、鑑別部１３において紙幣が損傷していると鑑別された場合、紙幣入出金機１０は、制御部１９の制御により切替器Ｓ１を短路Ｐ１１側に切り替え、切替器Ｓ５を短路Ｐ１１から短路Ｐ１０へ向かうよう切り替えて、切替器Ｓ４を短路Ｐ８側に、切替器Ｓ３を短路Ｐ７側にそれぞれ切り替える。
【００８６】
そして紙幣入出金機１０は、短路Ｐ２、Ｐ１１、Ｐ１０、Ｐ８及びＰ７により回収媒体としての紙幣をリジェクト庫１５へ搬送して収納させる。以下では、短路Ｐ２、Ｐ１１、Ｐ１０、Ｐ８及びＰ７により構成される経路を保留回収経路Ｒ６と呼ぶ。
【００８７】
このように紙幣入出金機１０は、入金取引における後段の処理として、紙幣を一時保留経路Ｒ３及び鑑別経路Ｒ２により鑑別部１３の上入出口１３Ａまで搬送し、当該紙幣が損傷していなければ保留収納経路Ｒ５により収納振分路１７Ｂへ、当該紙幣が損傷していれば保留回収経路Ｒ６によりリジェクト庫１５へ、それぞれ搬送するようになされている。
【００８８】
因みに顧客により入金取引の中止指示がなされた場合、紙幣入出金機１０は、一時保留部１４に保留していた全ての紙幣を一時保留経路Ｒ３（図４）、鑑別経路Ｒ２及び入出経路Ｒ１により入出金部１１へ搬送して顧客に返却するようになされている。
【００８９】
［３−２．一時保留部を使用しない場合の入金取引］
ところで現金自動預払機１は、上述した通常の入金取引に加えて、一時保留部１４に障害が発生した場合等に、当該一時保留部１４を使用することなく入金取引を行い得るようになされている。
【００９０】
すなわち制御部１９は、紙幣入出金機１０において一時保留部１４の障害検出器１４Ａ（図２）から当該一時保留部１４において障害が発生したことが通知されると、入金取引における紙幣入出金機１０内での紙幣の搬送経路を、一時保留部１４を使用しない経路に変更する。
【００９１】
具体的に紙幣入出金機１０は、図４と対応する図６に示すように、まず一時保留部１４を使用する場合（図４）と同様に、入出経路Ｒ１及び鑑別経路Ｒ２により紙幣を鑑別部１３の下入出口１３Ｂへ搬送すると共に、当該紙幣を鑑別部１３により鑑別する。
【００９２】
鑑別部１３において紙幣が正当であると鑑別された場合、紙幣入出金機１０は、制御部１９の制御により切替器Ｓ２を短路Ｐ６側に、切替器Ｓ３を短路Ｐ６側に、切替器Ｓ４を短路Ｐ８側にそれぞれ切り替え、切替器Ｓ５を短路Ｐ１０から短路Ｐ１２へ向かうよう切り替えて、切替器Ｓ６を短路Ｐ１４側に切り替える。
【００９３】
そして紙幣入出金機１０は、短路Ｐ４、Ｐ６、Ｐ８、Ｐ１０、Ｐ１２、Ｐ１４及びＰ１５により紙幣を収納振分路１７Ｂへ搬送し、金種ごとに振り分けて収納庫１８に収納させる。以下では、短路Ｐ４、Ｐ６、Ｐ８、Ｐ１０、Ｐ１２、Ｐ１４及びＰ１５により構成される経路を直接収納経路Ｒ７と呼ぶ。
【００９４】
一方、鑑別部１３において紙幣が正当でないと鑑別された場合、紙幣入出金機１０は、一時保留部１４を使用する場合と同様に、排出経路Ｒ４により紙幣を入出金部１１へ搬送して顧客に返却させる。
【００９５】
すなわち紙幣入出金機１０は、一時保留部１４を使用できない場合、入金額の確定前であっても、顧客に投入された紙幣のうち正当なものについては、収納庫１８に直接収納するようになされている。
【００９６】
続いて制御部１９は、顧客により投入された全ての紙幣を収納し終えると、一時保留部１４を使用する場合と同様、鑑別結果を基に金額を算出し、この金額を操作表示部６に表示すると共に、入金額を確定して入金取引を継続するか、或いは入金取引を中止するかを顧客に選択させる。
【００９７】
ここで顧客により入金取引の継続指示がなされた場合、紙幣入出金機１０は、紙幣の搬送に関しては既に完了しているために何も行わず、その他のレシートの印字処理やカードの返却処理等を行う。
【００９８】
一方、顧客により入金取引の中止指示がなされた場合、紙幣入出金機１０は、図７に示すように、記憶部１９Ａに記憶している入金額と同額の紙幣を収納庫１８から収納振分路１７Ｂへ送り出させ、当該収納振分路１７Ｂから紙幣を短路Ｐ１５により搬送して検出部１７Ａにより搬送状態を検出させて、その検出結果を制御部１９へ通知させる。以下では、短路Ｐ１５を検出経路Ｒ８と呼ぶ。
【００９９】
検出部１７Ａにより紙幣の搬送状態が正常であると検出された場合、紙幣入出金機１０は、制御部１９の制御により切替器Ｓ６を短路Ｐ１４側に切り替え、切替器Ｓ５を短路Ｐ１２から短路Ｐ１０へ向かうよう切り替える。また紙幣入出金機１０は、切替器Ｓ４を短路Ｐ８側に、切替器Ｓ３を短路Ｐ６側に、切替器Ｓ２を短路Ｐ６側に、切替器Ｓ１を短路Ｐ１側にそれぞれ切り替える。
【０１００】
そして紙幣入出金機１０は、短路Ｐ１４、Ｐ１２、Ｐ１０、Ｐ８、Ｐ６、Ｐ４、Ｐ３、Ｐ２及びＰ１により紙幣を入出金部１１へ搬送して収容器１１Ａ内に集積させる。以下では、短路Ｐ１４、Ｐ１２、Ｐ１０、Ｐ８、Ｐ６、Ｐ４、Ｐ３、Ｐ２及びＰ１により構成される経路を検出排出経路Ｒ９と呼ぶ。
【０１０１】
一方、検出部１７Ａにより紙幣の搬送状態が異常であると検出された場合、紙幣入出金機１０は、制御部１９の制御により切替器Ｓ６を短路Ｐ１４側に切り替え、切替器Ｓ５を短路Ｐ１２から短路Ｐ１０へ向かうよう切り替えて、切替器Ｓ４を短路Ｐ８側に、切替器Ｓ３を短路Ｐ７側にそれぞれ切り替える。
【０１０２】
そして紙幣入出金機１０は、短路Ｐ１４、Ｐ１２、Ｐ１０、Ｐ８及びＰ７により紙幣をリジェクト庫１５へ搬送して収納させる。以下では、短路Ｐ１４、Ｐ１２、Ｐ１０、Ｐ８及びＰ７により構成される経路を検出回収経路Ｒ１０と呼ぶ。
【０１０３】
因みに紙幣入出金機１０は、紙幣の搬送状態が異常であった場合、当該紙幣と同額の他の紙幣を収納庫１８からさらに送り出すことにより、記憶部１９Ａに記憶している入金額と同額の紙幣を顧客に返却するようになされている。
【０１０４】
このように紙幣入出金機１０は、入金取引の中止指示がなされた場合、既に収納庫１８に収納した紙幣を繰り出し、検出経路Ｒ８により順次搬送して検出部１７Ａにより搬送状態を検出する。そして紙幣入出金機１０は、搬送状態が正常であれば検出排出経路Ｒ９により紙幣を入出金部１１へ搬送して顧客に返却し、異常であれば検出回収経路Ｒ１０によりリジェクト庫１５へ搬送して収納させるようになされている。
【０１０５】
［３−３．出金取引］
例えば顧客が預金口座から現金を引き出すときのように、現金自動預払機１（図１）において出金取引が行われる場合、制御部１９は、カード入出口４から所定のカードを挿入させて預金口座を特定すると共に、操作表示部６を介して暗証番号や出金すべき金額（出金額）等の操作入力を受け付ける。
【０１０６】
続いて紙幣入出金機１０は、入金取引の中止指示がなされた場合（図７）と同様の経路により、出金額の紙幣を収納庫１８から繰り出して入出金部１１へ搬送させる。
【０１０７】
すなわち紙幣入出金機１０は、図８に示すように、指示された出金額の紙幣を収納庫１８から収納振分路１７Ｂへ送り出させ、当該収納振分路１７Ｂから紙幣を検出経路Ｒ８により（すなわち短路Ｐ１５により）搬送し、検出部１７Ａにより搬送状態を検出させて、その検出結果を制御部１９へ通知させる。
【０１０８】
検出部１７Ａにより紙幣の搬送状態が正常であると検出された場合、紙幣入出金機１０は、制御部１９の制御により各切替器Ｓを適宜切り替え、検出排出経路Ｒ９により、すなわち短路Ｐ１４、Ｐ１２、Ｐ１０、Ｐ８、Ｐ６、Ｐ４、Ｐ３、Ｐ２及びＰ１により、紙幣を入出金部１１へ搬送して収容器１１Ａ内に集積させる。
【０１０９】
一方、検出部１７Ａにより紙幣の搬送状態が異常であると検出された場合、紙幣入出金機１０は、制御部１９の制御により各切替器Ｓを適宜切り替え、検出回収経路Ｒ１０により、すなわち短路Ｐ１４、Ｐ１２、Ｐ１０、Ｐ８及びＰ７により、紙幣をリジェクト庫１５へ搬送して収納させる。
【０１１０】
因みに紙幣入出金機１０は、紙幣の搬送状態が異常であった場合、入金取引の中止指示がなされた場合と同様に、当該紙幣と同額の他の紙幣を収納庫１８からさらに送り出すことにより、指示された出金額の紙幣を顧客に出金するようになされている。
【０１１１】
このように紙幣入出金機１０は、出金取引においては、一時保留部１４を使用することなく、収納庫１８から繰り出した紙幣を収納振分路１７Ｂから入出金部１１へ搬送するようになされている。
【０１１２】
［３−４．取忘紙幣の取り込み］
ところで、現金自動預払機１（図１）において顧客との間で出金取引や入金取引が行われる際、出金した紙幣や釣銭としての紙幣を顧客が入出金部１１の収容器１１Ａ内から取り忘れてしまう場合がある。
【０１１３】
そこで紙幣入出金機１０は、顧客が取り忘れた紙幣（以下これを取忘紙幣と呼ぶ）が入出金部１１にある場合、この取忘紙幣を内部へ取り込んで取忘収納庫１６に収納するようになされている。
【０１１４】
このとき紙幣入出金機１０は、図４及び図５と対応する図９に示すように、まず通常の入金取引（図４）における前段の処理と同様に、入出経路Ｒ１、鑑別経路Ｒ２及び一時保留経路Ｒ３を介して取忘紙幣を一時保留部１４へ搬送する。
【０１１５】
その後紙幣入出金機１０は、制御部１９の制御により、切替器Ｓ１を短路Ｐ１１側に切り替え、切替器Ｓ５を短路Ｐ１１から短路Ｐ１０へ向かうよう切り替えて、切替器Ｓ４を短路Ｐ９側に切り替える。
【０１１６】
そして紙幣入出金機１０は、一時保留経路Ｒ３及び鑑別経路Ｒ２を介して取忘紙幣を鑑別部１３の上入出口１２Ａへ搬送し、さらに短路Ｐ２、Ｐ１１、Ｐ１０及びＰ９により取忘紙幣を取忘収納庫１６に収納させる。以下では、短路Ｐ２、Ｐ１１、Ｐ１０及びＰ９により構成される経路を取忘経路Ｒ１１と呼ぶ。
【０１１７】
すなわち紙幣入出金機１０は、一時保留部１４が正常である通常の動作状態では、この一時保留部１４を介して、取忘紙幣そのものを取忘収納庫１６へ搬送して収納する。
【０１１８】
このように紙幣入出金機１０は、一時保留部１４を使用できる通常の動作状態において取忘紙幣がある場合、入出経路Ｒ１、鑑別経路Ｒ２及び一時保留経路Ｒ３を介して取忘紙幣を一時保留部１４へ搬送した後、一時保留経路Ｒ３、鑑別経路Ｒ２及び取忘経路Ｒ１１を介して取忘紙幣を取忘収納庫１６へ搬送し収納させるようになされている。
【０１１９】
［３−５．一時保留部を使用しない場合における取忘紙幣の取り込み］
また現金自動預払機１は、一時保留部１４に障害が発生した場合等に、入金取引の場合と同様、当該一時保留部１４を使用することなく取忘紙幣を取り込み得るようになされている。
【０１２０】
すなわち制御部１９は、紙幣入出金機１０において一時保留部１４の障害検出器１４Ａ（図２）から当該一時保留部１４において障害が発生したことが通知されると、取忘紙幣の取込における紙幣入出金機１０内での紙幣の搬送経路を、一時保留部１４を使用しない経路に変更する。
【０１２１】
具体的に紙幣入出金機１０は、図６、図７及び図９と対応する図１０に示すように、まず一時保留部１４を使用する場合（図９）と同様に、入出経路Ｒ１及び鑑別経路Ｒ２により紙幣を鑑別部１３の下入出口１３Ｂへ搬送する。このとき制御部１９は、鑑別部１３における鑑別結果を基に取忘紙幣の金種及び枚数を集計して記憶部１９Ａに記憶させる。
【０１２２】
続いて紙幣入出金機１０は、一時保留部を使用しない場合における入金取引（図７）と同様の直接収納経路Ｒ７により取忘紙幣を収納振分路１７Ｂへ搬送し、金種ごとに振り分けて収納庫１８に収納させる。
【０１２３】
その後紙幣入出金機１０は、制御部１９の制御により切替器Ｓ６を短路Ｐ１４側に切り替え、切替器Ｓ５を短路Ｐ１２から短路Ｐ１０へ向かうよう切り替えて、切替器Ｓ４を短路Ｐ９側に切り替える。
【０１２４】
そして紙幣入出金機１０は、記憶部１９Ａに記憶している取忘紙幣の金種及び枚数と同一の金種及び枚数でなる紙幣を収納庫１８から収納振分路１７Ｂへ送り出させ、当該収納振分路１７Ｂから紙幣を短路Ｐ１５、Ｐ１４、Ｐ１２、Ｐ１０及びＰ９により取忘収納庫１６へ搬送して収納させる。以下では、短路Ｐ１４、Ｐ１２、Ｐ１０及びＰ９により構成される経路を収納取忘経路Ｒ１２と呼ぶ。
【０１２５】
すなわち紙幣入出金機１０は、一時保留部１４を使用できない場合、取忘紙幣を一度収納庫１８に直接収納してから、取忘紙幣と同一の金種及び枚数でなる紙幣を取忘収納庫１６に収納するようになされている。
【０１２６】
このように紙幣入出金機１０は、一時保留部１４を使用できない状態で取忘紙幣があった場合、入出経路Ｒ１、鑑別経路Ｒ２及び直接収納経路Ｒ７を介して取忘紙幣を搬送して収納庫１８に収納させた後、当該収納庫１８から収納取忘経路Ｒ１２を介して取忘紙幣と同一の金種及び枚数の紙幣を取忘収納庫１６へ搬送し収納させるようになされている。
【０１２７】
［４．動作及び効果］
以上の構成において、現金自動預払機１の紙幣入出金機１０は、一時保留部１４に特に障害が発生していない通常の状態で入金取引を行う場合、顧客により入金された紙幣を入出経路Ｒ１、鑑別経路Ｒ２及び一時保留経路Ｒ３により当該一時保留部１４へ搬送して保留する（図４）。
【０１２８】
その後紙幣入出金機１０は、入金取引が継続される場合、一時保留部１４に保留している紙幣を一時保留経路Ｒ３、鑑別経路Ｒ２及び保留収納経路Ｒ５により収納振分路１７Ｂへ搬送し、金種ごとに振り分けて収納庫１８に収納させる（図５）。
【０１２９】
また紙幣入出金機１０は、入金取引が中止された場合、一時保留部１４に保留している紙幣を一時保留経路Ｒ３、鑑別経路Ｒ２及び入出経路Ｒ１により入出金部１１へ搬送して顧客に紙幣を返却する。
【０１３０】
従って紙幣入出金機１０は、一時保留部１４を使用する通常の入金取引において、顧客から紙幣が入金された後に中止された場合には、顧客により最初に入金された紙幣そのものを返却することができるので、入金された金額と返却する金額とを原理的に一致させることができる。
【０１３１】
一方紙幣入出金機１０は、一時保留部１４に障害が発生し使用できない状態において入金取引を行う場合、搬送経路を変更し、顧客により入金された紙幣を入出経路Ｒ１、鑑別経路Ｒ２及び直接収納経路Ｒ７により収納振分路１７Ｂへ搬送し、金種ごとに振り分けて収納庫１８に直接収納させる（図６）。
【０１３２】
その後紙幣入出金機１０は、入金取引が中止された場合、一度収納庫１８に収納した紙幣を再び繰り出し、検出経路Ｒ８、検出排出経路Ｒ９、鑑別経路Ｒ２及び入出経路Ｒ１により入出金部１１へ搬送して顧客に紙幣を返却する（図７）。
【０１３３】
従って紙幣入出金機１０は、一時保留部１４を使用できない場合、当該一時保留部１４を通過する直接収納経路Ｒ７によって紙幣を搬送し収納庫１８に直接収納することができるので、現金自動預払機１の運用を停止することなく入金取引を行うことができる。
【０１３４】
また紙幣入出金機１０は、顧客から紙幣が入金された後に中止されたとしても、記憶部１９Ａに記憶している入金額と同額の紙幣を収納庫１８から繰り出して返却することができる。
【０１３５】
このとき紙幣入出金機１０は、一時保留部１４を使用する場合と異なり、搬送状態の異常等により入金された紙幣と返却する紙幣とが完全に同一とはならない場合があるものの、鑑別部１３において入金額を正しく認識しているため、入金額と同額の紙幣を確実に返却することができる。
【０１３６】
他の観点から見れば、紙幣入出金機１０は、入金された紙幣を鑑別し一時保留部１４に保留してから再度鑑別して収納庫１８へ収納する経路（図４及び図５）と、入金された紙幣を鑑別して収納庫１８へ直接収納させる経路（図６）とを切り替え可能に組み合わせて構成した。
【０１３７】
具体的には、一時保留部１４から鑑別部１３を経た後に短路Ｐ２及びＰ１１を経て切替器Ｓ５へ至る、いわば搬送部１２の上側部分を回る上回りの経路と、入出金部１１から鑑別部１３を経た後に短路Ｐ４、Ｐ６、Ｐ８及びＰ１０を経て切替器Ｓ５へ至る、いわば搬送部１２の下側部分を回る下回りの経路とを、円環状に連結させるように設けた。
【０１３８】
これにより現金自動預払機１では、一時保留部１４を使用する通常の運用形態のみならず、障害の発生等により当該一時保留部１４を使用しない、いわば非常の運用形態によっても入金取引を行うことができ、入金取引を含む運用の継続性を高めることができる。
【０１３９】
さらに紙幣入出金機１０は、通常の入金取引において一時保留部１４に保留した紙幣が損傷していた場合には保留回収経路Ｒ６により、また一時保留部１４を使用しない場合において入金取引が中止された場合に搬送状態が異常であったときには検出回収経路Ｒ１０により、それぞれ紙幣をリジェクト庫１５へ搬送することができる。
【０１４０】
このため紙幣入出金機１０は、損傷しており再利用すべきでない紙幣や、搬送状態が異常であり１枚ずつに分離されていない紙幣について、正常な紙幣と混在させることなく、確実に区別して回収することができる。
【０１４１】
また紙幣入出金機１０は、取忘紙幣がある場合の搬送経路についても、一時保留部１４を使用する経路（図９）及び一時保留部１４を使用しない経路（図１０）のいずれかに切り替えることができる。
【０１４２】
このため紙幣入出金機１０は、通常の一時保留部１４を使用できる場合及び障害等により一時保留部１４を使用できない場合のいずれにおいても、取忘紙幣を取忘収納庫１６へ確実に搬送することができる。
【０１４３】
以上の構成によれば、現金自動預払機１の紙幣入出金機１０は、通常の入金取引において、入金された紙幣を入出経路Ｒ１、鑑別経路Ｒ２及び一時保留経路Ｒ３により一時保留部１４へ搬送して保留した後、一時保留経路Ｒ３、鑑別経路Ｒ２及び保留収納経路Ｒ５により収納振分路１７Ｂへ搬送して収納庫１８に収納させる。一方紙幣入出金機１０は、一時保留部１４を使用しない入金取引において、入金された紙幣を入出経路Ｒ１、鑑別経路Ｒ２及び直接収納経路Ｒ７により収納振分路１７Ｂへ搬送して収納庫１８に直接収納させる。かくして紙幣入出金機１０は、一時保留部１４を使用できない場合であっても入金された紙幣を鑑別部１３により鑑別した上で収納庫１８へ収納させることにより入金取引を行うことができ、現金自動預払機１における運用の継続性を高めることができる。
【０１４４】
［５．他の実施の形態］
なお上述した実施の形態においては、紙幣入出金機１０に一時保留部１４を設け、当該一時保留部１４に障害が発生した場合に当該一時保留部１４を使用せずに入金取引を行うようにした場合について述べた。
【０１４５】
しかしながら本発明はこれに限らず、例えば紙幣入出金機１０から一時保留部１４、短路Ｐ５及び切替器Ｓ２を省略し、入金取引においては図６に示したように入金された紙幣を常に収納庫１８に直接収納するようにしても良い。この場合、短路Ｐ１１が不要となるため、当該短路Ｐ１１を省略すると共に切替器Ｓ１及びＳ５を省略するようにしても良い。
【０１４６】
また上述した実施の形態においては、リジェクト庫１５を搬送部１２内の搬送路と接続し、損傷した紙幣や搬送状態が異常な紙幣を当該搬送部１２から短路Ｐ７経由で紙幣を搬送するようにした場合について述べた。
【０１４７】
しかしながら本発明はこれに限らず、例えば図２と対応する図１１に紙幣入出金機１１０として示すように、振分搬送部１１７に収納庫１８と並列にリジェクト庫１１５を接続し、収納振分路１１７Ｂ内に適宜切替器及び搬送路を設けることにより、損傷した紙幣や搬送状態が異常な紙幣を収納振分路１１７Ｂへ搬送してリジェクト庫１１５に搬送し収納するようにしても良い。この場合、特に一時保留部１４を使用せずに取忘紙幣を取り込む際（図１０）に、入出経路Ｒ１、鑑別経路Ｒ２及び直接収納経路Ｒ７により取忘紙幣を収納振分路１１７Ｂへ搬送すれば、リジェクト庫１１５に収納することができるので、収納取忘経路Ｒ１２による搬送が不要となる。
【０１４８】
或いは、紙幣入出金機１０（図２）からリジェクト庫１５を省略し、損傷した紙幣や搬送状態が異常な紙幣をいずれかの収納庫１８に収納するようにしても良い。取忘収納庫１６についても同様である。
【０１４９】
さらに上述した実施の形態においては、切替器Ｓ３により短路Ｐ８の接続先を短路Ｐ６又は当該短路Ｐ７のいずれかに切り替えるよう構成し、搬送部１２からリジェクト庫１５に対し際に短路Ｐ８側から紙幣を搬送するようにした場合について述べた。
【０１５０】
しかしながら本発明はこれに限らず、例えば切替器Ｓ３により短路Ｐ６の接続先を短路Ｐ７又は当該短路Ｐ８のいずれかに切り替えるよう構成し、又は切替器Ｓ３を切替器Ｓ５と同様にいわゆる「三叉路分岐手段」として構成して、搬送部１２の短路Ｐ６側から短路Ｐ７を介してリジェクト庫１５へ紙幣を搬送するようにしても良い。切替器Ｓ２及び切替器Ｓ４についても同様に、実施の形態と異なる短路Ｐの間で接続先を切り替えるようにしても良く、或いはいわゆる「三叉路分岐手段」としても良い。
【０１５１】
さらに上述した実施の形態においては、短路Ｐ１３により振分搬送部１７と入出金部１１とを接続し（図３）、入金された紙幣の鑑別結果が異常であった場合に当該紙幣を入出金部１１へ戻すことにより顧客に返却するようにした場合について述べた。
【０１５２】
しかしながら本発明はこれに限らず、例えば短路Ｐ１３及び切替器Ｓ６を省略し、振分搬送部１７に収納庫１８内と並列に専用の保管庫を接続すると共に収納振分路１７Ｂ内に適宜切替器及び搬送路を設け、入金された紙幣の鑑別結果が異常であった場合に当該紙幣を収納振分路１７Ｂへ搬送して専用の保管庫に収納するようにしても良い。
【０１５３】
さらに上述した実施の形態においては、振分搬送部１７に検出部１７Ａを設け、搬送状態を検出するようにした場合について述べた。
【０１５４】
しかしながら本発明はこれに限らず、例えば振分搬送部１７の収納振分路１７Ｂにおいて、収納庫１８から繰り出された紙幣の搬送状態が常に良好であり、紙幣の一部が重なって搬送される状態が殆ど発生しないことが判明している場合に、検出部１７Ａを省略するようにしても良い。
【０１５５】
さらに上述した実施の形態においては、搬送部１２、鑑別部１３及び一時保留部１４を入出金部１１の下方に配置するようにした場合について述べた。
【０１５６】
しかしながら本発明はこれに限らず、例えば図２と対応する図１２に紙幣入出金機２１０として示すように、搬送部１２、鑑別部１３及び一時保留部１４を入出金部１１の下方から後方に渡り、且つ振分搬送部２１７の上方となる部分に配置するようにしても良い。この場合、搬送部１２内に構成する搬送路については、通常の入金取引では入金された紙幣を鑑別部１３により鑑別して一時保留部１４に保留させ、その後再び鑑別部１３を経由して収納庫１８に収納する一方、一時保留部１４を使用しない場合には入金された紙幣を鑑別部１３により鑑別して収納庫１８へ搬送できるような経路を構成できれば良い。
【０１５７】
さらに上述した実施の形態においては、紙幣入出金機１０の制御部１９により、搬送部１２及び振分搬送部１７の各切替器Ｓにおける短路Ｐの切り替えや各短路Ｐにおける搬送方向等、紙幣入出金機１０内の各部を制御するようにした場合について述べた。
【０１５８】
本発明はこれに限らず、例えば主制御部９により、或いは主制御部９と制御部１９との協働により、紙幣入出金機１０内の各部を制御するようにしても良い。
【０１５９】
さらに上述した実施の形態においては、現金自動預払機１において紙幣を入金する例として顧客が現金を預金する場合について、また紙幣を出金する例として顧客が預金口座から現金を引き出す場合について、それぞれ本発明を適用するようにした場合について述べた。
【０１６０】
しかしながら本発明はこれに限らず、例えば入金に関し顧客が他人の預金口座に振り込む場合や、出金に関し入金取引において入金額の一部を入金することにより釣銭が発生する場合等、金融機関等と顧客との間で生じ得る紙幣の入金又は出金が発生する種々の取引に適用するようにしても良い。
【０１６１】
さらに上述した実施の形態においては、金融機関等に設置され、顧客との間で入金取引等の取引処理を行う現金自動預払機１に本発明を適用するようにした場合について述べた。
【０１６２】
しかしながら本発明はこれに限らず、例えば金融機関等に設置され、職員の操作に基づき紙幣の鑑別や計数のみを行う装置に適用するようにしても良い。
【０１６３】
さらに上述した実施の形態においては、現金を取引する現金自動預払機１において、媒体としての紙幣について入金取引又は出金取引等の取引処理を行うようにした場合について述べた。
【０１６４】
しかしながら本発明はこれに限らず、例えば商品券や金券、入場券等のような薄い紙状の媒体を外部から内部の収納庫に取り込み、また内部の収納庫から外部へ排出する種々の装置に適用するようにしても良い。
【０１６５】
さらに上述した実施の形態においては、媒体入出部としての入出金部１１と、鑑別部としての鑑別部１３と、収納庫としての収納庫１８と、搬送部としての搬送部１２及び振分搬送部１７と、制御部としての制御部１９とによって媒体搬送装置としての紙幣入出金機１０を構成する場合について述べた。
【０１６６】
しかしながら本発明はこれに限らず、その他種々の構成でなる媒体入出部と、鑑別部と、収納庫と、搬送部と、制御部とによって媒体搬送装置を構成するようにしても良い。
【０１６７】
さらに上述した実施の形態においては、操作受付部としての操作表示部６及びテンキー７と、媒体入出部としての入出金部１１と、鑑別部としての鑑別部１３と、収納庫としての収納庫１８と、搬送部としての搬送部１２及び振分搬送部１７と、制御部としての制御部１９とによって媒体取引装置としての現金自動預払機１を構成する場合について述べた。
【０１６８】
しかしながら本発明はこれに限らず、その他種々の構成でなる操作受付部と、媒体入出部と、鑑別部と、収納庫と、搬送部と、制御部とによって媒体取引装置を構成するようにしても良い。
【産業上の利用可能性】
【０１６９】
本発明は、顧客との取引等において紙幣等の紙状の媒体を取り込み、或いは内部に収納している当該媒体を外部へ排出する種々の装置でも利用できる。
【符号の説明】
【０１７０】
１……現金自動預払機、５……入出金口、６……操作表示部、７……テンキー、９……主制御部、１０……紙幣入出金機、１１……入出金部、１２……搬送部、１３……鑑別部、１３Ａ……上入出口、１３Ｂ……下入出口、１４……一時保留部、１４Ａ……障害検出器、１５……リジェクト庫、１６……取忘収納庫、１７……振分搬送部、１７Ａ……検出器、１７Ｂ……収納振分路、１８……収納庫、１９……制御部、１９Ａ……記憶部、Ｐ１、Ｐ２、Ｐ３、Ｐ４、Ｐ５、Ｐ６、Ｐ７、Ｐ８、Ｐ９、Ｐ１０、Ｐ１１、Ｐ１２、Ｐ１３……短路、Ｓ１、Ｓ２、Ｓ３、Ｓ４、Ｓ５、Ｓ６……切替器、Ｒ１……入出経路、Ｒ２……鑑別経路、Ｒ３……一時保留経路、Ｒ４……排出経路、Ｒ５……保留収納経路、Ｒ６……保留回収経路、Ｒ７……直接収納経路、Ｒ８……検出経路、Ｒ９……検出排出経路、Ｒ１０……検出回収経路、Ｒ１１……取忘経路、Ｒ１２……収納取忘経路。
【図１】
0005834849.tif 000002
【図２】
0005834849.tif 000003
【図３】
0005834849.tif 000004
【図４】
0005834849.tif 000005
【図５】
0005834849.tif 000006
【図６】
0005834849.tif 000007
【図７】
0005834849.tif 000008
【図８】
0005834849.tif 000009
【図９】
0005834849.tif 000010
【図１０】
0005834849.tif 000011
【図１１】
0005834849.tif 000012
【図１２】
0005834849.tif 000013